(57)【要約】【課題】市販の外部インタフェースコネクタを使用している場合でも携帯無線機本体内部への浸水を防ぐ防水構造を提供することを目的とする。【解決手段】シャーシとフロントカバーにより筐体を形成し、該筐体の内部には外部インタフェースコネクタが配されたプリント基板を配する携帯無線機であって、前記フロントカバーはリブを有したコネクタキャップを具備しており、前記外部インタフェースコネクタは前記筐体の所定部分の穴部に位置し、外部との接続を行う場合は、当該外部のコネクタ部分と前記リブを有するコネクタキャップによって封止し、外部との接続を行わない場合は、前記穴部に被せるキャップと前記リブを有するコネクタキャップによって封止すること、を特徴とする業務用の携帯無線機。【選択図】  図１
2007020085.tif 000002
【特許請求の範囲】
【請求項１】
シャーシとフロントカバーにより筐体を形成し、
該筐体の内部には外部インタフェースコネクタが配されたプリント基板を配する携帯無線機であって、
前記フロントカバーはリブを有したコネクタキャップを具備しており、
前記外部インタフェースコネクタは前記筐体の所定部分の穴部に位置し、
外部との接続を行う場合は、当該外部のコネクタ部分と前記リブを有するコネクタキャップによって封止し、
外部との接続を行わない場合は、前記穴部に被せるキャップと前記リブを有するコネクタキャップによって封止すること、を特徴とする業務用の携帯無線機。
【発明の詳細な説明】
【技術分野】
【０００１】
本発明は、業務用の携帯無線機に関するものであって、特に携帯無線機の防水構造に関するものである。
【背景技術】
【０００２】
一般的に業務用の携帯無線機はフロントカバーにキャップを取り付け、キャップを閉めることによって携帯無線機内部への水の浸入を防ぎ、防水仕様を満足させる構造であった。
【０００３】
【特許文献１】特開２００４−１１２５６５号公報
【発明の開示】
【発明が解決しようとする課題】
【０００４】
上記従来の防水構造では、キャップが閉じている場合には携帯無線機内部への水の浸入を防ぐことができたが、キャップが防水の唯一の手段であったため、キャップが開いている状態のインタフェース用コネクタを使用した場合などは、携帯無線機内部への浸水、更にはインタフェース用コネクタ本体への浸水を防ぐことができず、携帯無線機の性能を低下させ故障の原因となることがあった。また、コネクタ使用時の防水仕様を確保するにはオリジナルのコネクタを設計、開発する必要があったため、開発費と開発期間が必要であった。
【０００５】
本発明は上記問題点について鑑み、市販の外部インタフェースコネクタを使用している場合でも携帯無線機本体内部への浸水を防ぐ防水構造を提供することを目的とする。
【課題を解決するための手段】
【０００６】
上記問題点を解決するため請求項１に記載の発明は、シャーシとフロントカバーにより筐体を形成し、該筐体の内部には外部インタフェースコネクタが配されたプリント基板を配する携帯無線機であって、前記フロントカバーはリブを有したコネクタキャップを具備しており、前記外部インタフェースコネクタは前記筐体の所定部分の穴部に位置し、外部との接続を行う場合は、当該外部のコネクタ部分と前記リブを有するコネクタキャップによって封止し、外部との接続を行わない場合は、前記穴部に被せるキャップと前記リブを有するコネクタキャップによって封止すること、を特徴とする。
【発明の効果】
【０００７】
本発明によれば、市販の外部インタフェースコネクタを使用している場合でも携帯無線機本体内部への浸水を防ぐ防水構造を提供することができる。
【発明を実施するための最良の形態】
【０００８】
本発明の実施の形態について図面を参照しながら説明する。
図１は本発明の実施の形態の一例を示した図である。
図１において、１０１はフロントカバー、１０２はキーボタン、１０３はプリント基板、１０４は外部インタフェースコネクタ、１０５はシャーシ、１０６はコネクタキャップ、１０７はキャップを示している。
【０００９】
携帯無線機は少なくともフロントカバー１０１、シャーシ１０５、シャーシ１０５に取り付けられるプリント基板１０３で構成されており、フロントカバー１０１にはコネクタキャップ１０６と、キャップ１０７が取り付けられ、プリント基板１０３には、外部インタフェースコネクタ１０４と、キーボタン１０２が取り付けられる。
【００１０】
図２は本発明における外部インタフェースコネクタを使用した場合の一例を示した図である。
図２（a）はプラグ２０１を接続している状態の携帯無線機の正面図であり、図２（b）は図２（a）の中心線部分を断面で示した図である。
また、図３は本発明における外部インタフェースコネクタを使用した場合のコネクタ部を示した図である。
また、図４はリブを有するコネクタキャップの実施の形態の一例を示した図である。
【００１１】
外部インタフェースコネクタ１０４を使用した場合、外部インタフェースコネクタ１０４に差し込むプラグ２０１がコネクタキャップ１０６に設けたリブ２０２と接触し、防水構造を確保する。
【００１２】
図５は本発明における外部インタフェースコネクタが未使用時の場合の一例を示した図である。
図５（a）はキャップ１０７を閉じた状態の携帯無線機の正面図、図５（b）は図５（a）の中心線部分を断面にした断面図、図５（c）は外部インタフェースコネクタ部を拡大した拡大図である。
通常、外部インタフェースコネクタ１０４を使用していない場合、図５（c）に示すように、フロントカバー１０１に取り付けられたキャップ１０７が、コネクタキャップ１０６に取り付けられたリブ２０２に接触し、防水構造を確保する。
【００１３】
ここで、コネクタキャップ１０６およびリブ２０２の形状については図４に示した形状に限らず、プラグ２０１及びキャップ１０７に密着するような形状であれば良いことは言うまでもない。
また、リブ２０２はプラグ２０１、またはキャップ１０７に密着することで防水効果を得るため、ある程度弾力のある例えばシリコンゴムのような材質のものが好まれる。
【００１４】
また、本実施の形態においてコネクタキャップ１０６はフロントカバー１０１に取り付けているが、フロントカバーに限らず、シャーシ１０５や外部インタフェースコネクタ１０４に取り付けても良い。
【００１５】
本発明の実施の形態によると、外部インタフェースコネクタを特殊な形状にすることなく、防水構造を確保することとなるため、カタログ品の外部インタフェースコネクタを使用することが可能となり、オリジナルのコネクタを設計、開発する期間やコストを低下させることができる。
【００１６】
また、本発明の実施の形態によると、外部インタフェースコネクタの実装位置を例えば側面などに変更しても容易に防水構造を確保することが可能となる。
【図面の簡単な説明】
【００１７】
【図１】本発明における実施の形態の一例を示した図。
【図２】本発明における外部インタフェースコネクタを使用した場合の一例を示した図。
【図３】本発明における外部インタフェースコネクタを使用した場合のコネクタ部の一例を示した図。
【図４】本発明におけるコネクタキャップの実施の形態の一例を示した図。
【図５】本発明における外部インタフェースコネクタが未使用時の場合の一例を示した図。
【符号の説明】
【００１８】
１０１・・・フロントカバー、
１０２・・・キーボタン、
１０３・・・プリント基板、
１０４・・・外部インタフェースコネクタ、
１０５・・・シャーシ、
１０６・・・コネクタキャップ、
１０７・・・キャップ、
２０１・・・プラグ、
２０２・・・リブ。
【図１】
2007020085.tif 000003
【図２】
2007020085.tif 000004
【図３】
2007020085.tif 000005
【図４】
2007020085.tif 000006
【図５】
2007020085.tif 000007